(57)【要約】      （修正有）【課題】可動ルーバー窓におけるスラット等の外側部材を無段階で角度調整できるスライド調整装置を提供する。【解決手段】軸部材１０が貫通すると共に、外力が作用可能な外側部材１が連結しており、軸部材１０の軸方向に沿って移動可能な可動部材１２と、軸部材１０の軸方向に沿った移動操作が可能であり、当該移動操作によって可動部材１２に当接して移動させる操作部材１５と、軸部材１０が貫通するロック穴２３ａを有し、操作部材１５及び可動部材１２が当接可能となっており、可動部材１２が当接することにより軸部材に対し傾斜して軸部材に係合し、可動部材の移動をロックするロック部材１３，２３と、ロック部材１３，２３が軸部材１０に対して傾斜した状態で可動部材１２に当接するように付勢する弾性部材１４とを備える。【選択図】図３
2008208700.tif 000002
【特許請求の範囲】
【請求項１】
軸部材が貫通すると共に、外力が作用可能な外側部材が連結しており、前記軸部材の軸方向に沿って移動可能な可動部材と、
前記軸部材の軸方向に沿った移動操作が可能であり、当該移動操作によって前記可動部材に当接して移動させる操作部材と、
前記軸部材が貫通するロック穴を有し、前記操作部材及び可動部材が当接可能となっており、可動部材が当接することにより軸部材に対し傾斜して軸部材に係合し、可動部材の移動をロックするロック部材と、
ロック部材が軸部材に対して傾斜した状態で前記可動部材に当接するように付勢する弾性部材とを備え、
前記外側部材に外力が作用したとき、ロック部材が傾く方向に可動部材がロック部材に当接してロック部材のロック状態を維持し、前記操作部材への移動操作によって操作部材がロック部材に当接してロック部材の傾きを小さくしロックを解除することを特徴とするスライド操作装置。
【請求項２】
前記弾性部材は、ロック部材における前記可動部材が当接する部位と、前記操作部材が当接する部位との間を付勢していることを特徴とする請求項１記載のスライド操作装置。
【請求項３】
前記操作部材が可動部材に当接する部位における両部材の離隔距離に対し、前記操作部材がロック部材に当接する部位における両部材の離隔距離が小さいことを特徴とする請求項１又は２記載のスライド操作装置。
【請求項４】
前記操作部材への移動操作によって操作部材がロック部材に当接すると共に、操作部材が可動部材に当接することを特徴とする請求項１〜３のいずれか１項記載のスライド操作装置。
【請求項５】
前記ロック部材が、前記弾性部材を挟んだ状態で弾性部材と可動部材との間に一対が配置されていることを特徴とする請求項１〜４のいずれか１項記載のスライド操作装置。
【請求項６】
前記軸部材が縦方向に設けられていることを特徴とする請求項１〜５のいずれか１項記載のスライド操作装置。
【請求項７】
前記軸部材が横方向に設けられていることを特徴とする請求項１〜５のいずれか１項記載スライド操作装置。
【請求項８】
前記外側部材は、可動ルーバー窓のスラットであることを特徴とする請求項１〜７のいずれか１項記載のスライド操作装置。
【発明の詳細な説明】
【技術分野】
【０００１】
本発明は、可動ルーバー窓などに用いられるスライド操作装置に関する。  
【背景技術】
【０００２】
可動ルーバー窓では、室内での操作によってスラットの開閉ができる一方、屋外のスラットに力が加わったときにスラットが開かないことが犯罪防止の観点から好ましい。特許文献１には、このような作動を可能とした従来の可動ルーバー窓の開閉操作装置が記載されている。  
【０００３】
特許文献１記載の開閉操作装置は、スラットに連結された可動部材と、可動部材を上下方向に移動させる操作部材と、可動部材側に突出して係合するようにばね付勢されてロックを行うロック部材と、操作部材の上下方向への変位をロック部材の変位に変換する斜面と、ロック部材が突出したときにロック部材が入り込むノッチとを有している。この装置では、ロック部材がノッチに入り込んでいるため、屋外でスラットに外力が作用してもスラットが開閉作動することがないが、室内で操作部材を操作することにより、斜面によってロック部材がノッチに入ったり、出たりするため、スラットを回転させて角度調整を行うことが可能となっている。  
【特許文献１】特開２００２−４７８６８号公報
【発明の開示】
【発明が解決しようとする課題】
【０００４】
しかしながら、特許文献１に記載されている従来の開閉操作装置では、スラットの開閉角度が段階的であるため、細かな角度調整ができない不便さがある。又、スラットの開閉角度を変更する際に、ロック部材がノッチとの係合を繰り返すため、カチ、カチという雑音が発生する。このため、静かな操作ができない問題がある。  
【０００５】
本発明は、このような従来の問題点を考慮してなされたものであり、スラット等を無段階で角度調整でき、しかも雑音の発生のない静かな作動を行うことが可能なスライド調整装置を提供することを目的とする。  
【課題を解決するための手段】
【０００６】
請求項１記載の発明のスライド操作装置は、軸部材が貫通すると共に、外力が作用可能な外側部材が連結しており、前記軸部材の軸方向に沿って移動可能な可動部材と、前記軸部材の軸方向に沿った移動操作が可能であり、当該移動操作によって前記可動部材に当接して移動させる操作部材と、前記軸部材が貫通するロック穴を有し、前記操作部材及び可動部材が当接可能となっており、可動部材が当接することにより軸部材に対し傾斜して軸部材に係合し、可動部材の移動をロックするロック部材と、ロック部材が軸部材に対して傾斜した状態で前記可動部材に当接するように付勢する弾性部材とを備え、前記外側部材に外力が作用したとき、ロック部材が傾く方向に可動部材がロック部材に当接してロック部材のロック状態を維持し、前記操作部材への移動操作によって操作部材がロック部材に当接してロック部材の傾きを小さくしロックを解除することを特徴とする。
【０００７】
請求項１記載の発明では、ロック部材が軸部材に対して傾斜することにより、ロック部材が傾斜して軸部材に係合するため、可動部材の移動がロックされる。この状態に対し、外側部材に外力が作用すると、ロック部材が傾いた状態を維持したロック状態であるため、外側部材からの操作では角度調整ができない。一方、操作部材を移動操作すると、操作部材がロック部材に当接してロック部材の傾きを小さくするため、軸部材への係合が解除され、操作部材による外側部材の角度調整が可能となる。  
【０００８】
請求項２記載の発明は、請求項１記載のスライド操作装置であって、前記弾性部材は、ロック部材における前記可動部材が当接する部位と、前記操作部材が当接する部位との間を付勢していることを特徴とする。  
【０００９】
請求項３記載の発明は、請求項１又は２記載のスライド操作装置であって、前記操作部材が可動部材に当接する部位における両部材の離隔距離に対し、前記操作部材がロック部材に当接する部位における両部材の離隔距離が小さいことを特徴とする。  
【００１０】
請求項４記載の発明は、請求項１〜３のいずれか１項記載のスライド操作装置であって、前記操作部材への移動操作によって操作部材がロック部材に当接すると共に、操作部材が可動部材に当接することを特徴とする。  
【００１１】
請求項５記載の発明は、請求項１〜４のいずれか１項記載のスライド操作装置であって、前記ロック部材が、前記弾性部材を挟んだ状態で弾性部材と可動部材との間に一対が配置されていることを特徴とする。  
【００１２】
請求項６記載の発明は、請求項１〜５のいずれか１項記載のスライド操作装置であって、前記軸部材が縦方向に設けられていることを特徴とする。
【００１３】
請求項７記載の発明は、請求項１〜５のいずれか１項記載のスライド操作装置であって、前記軸部材が横方向に設けられていることを特徴とする。
【００１４】
請求項８記載の発明は、請求項１〜７のいずれか１項記載のスライド操作装置であって、前記外側部材は、可動ルーバー窓のスラットであることを特徴とする。  
【発明の効果】
【００１５】
本発明によれば、ロック部材が軸部材に係合したロック状態に対し、操作部材を移動操作すると、操作部材がロック部材に当接してロック部材の傾きがなくなる。このため、ロック部材の軸部材への係合が解除され、操作部材による角度調整が可能となる。このような構造では、外側部材を無段階で角度調整でき、しかも雑音の発生のない静かな作動を行うできる。  
【発明を実施するための最良の形態】
【００１６】
図１〜図８は、本発明の第１実施形態のスライド操作装置を示し、図１は実施形態が適用された可動ルーバー窓の正面図、図２は側面図、図３は図１におけるＡ−Ａ線断面図、図４は図３におけるＢ−Ｂ線断面図、図５は図３の要部を拡大した断面図、図６は作動の断面図、図７は図６の要部を拡大した断面図、図８は図６に続く作動の断面図である。  
【００１７】
図１に示すように、可動ルーバー窓は複数のスラット１を有している。それぞれのスラット１は、スラット軸３に回転自在に取り付けられており、スラット軸３はルーバー窓の枠２に固定されている。それぞれのスラット１には、リンク４が取り付けられ、リンク４の他端は連結ピン５によって連結ロッド６に連結されている。連結ロッド６は上下方向に延びており、全てのスラット１の連結ピン５が取り付けられている。従って、連結ロッド６が上下方向に移動することにより全てのスラット１が同時に開閉作動する。  
【００１８】
上記構造において、連結ロッド６が上下に移動すると、連結ロッド６の動きに同期してスラット１がスラット軸３を中心に回転する。すなわち、図３において、連結ロッド６が上に移動すると、スラット１は時計方向に回転して開いた状態となり、連結ロッド６が下に移動すると、スラット１は反時計方向に回転して閉じた状態となる。この実施形態において、スラット１は外側部材として機能するものであり、スラット軸３，リンク４、連結ピン５、連結ロッド６を介して後述するスライダー１２に連結される（図３参照）。  
【００１９】
図３及び図４に示すように、この実施形態のスライド操作装置７は、ベース９と、軸部材としてのシャフト１０と、可動部材としてのスライダー１２と、ロック部材としてのロックプレート１３及び２３と、弾性部材としてのばね１４と、操作部材としての操作レバー１５と、カバー１６とを備えている。スライド操作装置７の全体は、ねじ等の締結具８によって枠２に固定される（図１及び図２参照）。スライド操作装置７は屋内Ｘ側に位置するものであり、スラット１は屋外Ｙ側に位置している（図２参照）。  
【００２０】
ベース９は締結具８によってルーバー窓の枠２に固定される。カバー１６は縦長のコ字形となっており、ベース９の外側を覆った状態でベース９と共に締結具８により枠２に固定される。ベース９における連結ロッド６側の面には、スライダー１２の上下移動を案内する案内凹部９ｂと、スライダー１２が貫通して連結ロッド６側に延びるための長穴９ｃとが形成されている。  
【００２１】
軸部材としてのシャフト１０は、所定長さを有して上下方向に延びている。シャフト１０は、その上下端部がベース９を貫通し、貫通端に止め輪１１を係止させることにより立設状態でベース９に固定される。  
【００２２】
可動部材としてのスライダー１２は、一側（左側）にシャフト１０が貫通し、他側（右側）にスラット１が連結される。スラット１が連結されるスライダー１２の他側は、スラット１に向かって略水平に延びるアーム部１２ａとなっている。アーム部１２ａには、横長の長穴１２ｃが形成されており、長穴１２ｃに一の連結ピン５が貫通して連結されている。従って、スライダー１２が上下方向に移動すると、一の連結ピン５を介して連結ロッド６が上下動するため、全てのスラット１が開閉する。  
【００２３】
スライダー１２の一側は、左側（操作レバー１５側）が開口された箱型形状に形成されており、下側の第１当接片２１及び上側の第２当接片２２とが一対となって対向している。第１当接片２１及び第２当接片２２は面対称の形状となっており、それぞれには、外方に向けて傾斜した傾斜面２１ａ、２２ａと、傾斜面２１ａ、２２ａの傾斜始端となる頂点２１ｂ、２２ｂとが形成されている。シャフト１０は第１当接片２１及び第２当接片２２を貫通するものであり、シャフト１０が貫通することにより、スライダー１２はシャフト１０の軸方向である上下方向に移動可能となっている。かかる移動は、シャフト１０及びベース９の案内凹部９ｂによってガイドされる。  
【００２４】
ロック部材としてのロックプレート１３，２３は、上下で対向する一対が配置され、下側が第１ロックプレート１３、上側が第２ロックプレート２３となっている。第１ロックプレート１３にはスライダー１２の第１当接片２１が当接し、第２ロックプレート２３には第２当接片２２が当接する。それぞれのロックプレート１３，２３も面対称の形状となっており、それぞれには、シャフト１０が貫通するロック穴１３ａ、２３ａが形成されている。又、ロックプレート１３，２３は当接片２１，２２の傾斜面２１ａ、２２ａの傾斜と同様な方向に傾斜しており、これにより一対のロックプレート１３，２３は、側面から見て「ハ」字形となって対向している（図３参照）。  
【００２５】
ロックプレート１３，２３のロック穴１３ａ、２３ａは、シャフト１０の径よりの僅かに大きな径となっており、後述するようにロック穴１３ａ、２３ａの上下端のエッジ部１３ｂ、１３ｃ及び２３ｂ、２３ｃ（２３ｂ、２３ｃは図示省略）がシャフト１０に食い込むことより（図５参照）、スライダー１２の移動をロックするようになっている。  
【００２６】
弾性部材としてのばね１４は、一対のロックプレート１３，２３の間に配置されるものであり、このように配置することにより、それぞれのロックプレート１３，２３はスライダー１２とばね１４との間に配置された構造となっている。ばね１４は圧縮コイルばねが使用されており、シャフト１０が貫通することによりシャフト１０に保持されている。ばね１４の上下端部は、一対のロックプレート１３，２３に当接しており、この当接によってロックプレート１３，２３が当接片２１，２２の頂点２１ｂ、２２ｂに当接するように付勢している。このようなばね１４の付勢により、ロックプレート１３，２３は頂点２１ｂ，２２ｂを支点として先端部分（左端部分）が相互に離れる方向へ傾斜する。すなわち、第１ロックプレート１３が左下がりに傾斜し、第２ロックプレート２３が左上がりに傾斜した状態となる。この傾斜により、ロックプレート１３，２３のロック穴１３ａ、２３ａのエッジ部１３ｂ、１３ｃ及び２３ｂ、２３ｃがシャフト１０に食い込んで係合することができる。  
【００２７】
操作部材としての操作レバー１５は、スライダー１２を挟んでスラット１との反対側に配置される。操作レバー１５はスライダー１２側（右側）が開口された箱型形状に形成されており、開口部分からロックプレート１３，２３が進入可能となっている。操作レバー１５は操作部１５ｅを有しており、操作部１５ｅがカバー１６に上下方向に形成した長穴１６ａから室内側に突出している。従って、操作部１５ｅを操作することにより、操作部材１５の上下方向への移動操作が可能となっている。  
【００２８】
操作レバー１５の内面には、それぞれのロックプレート１３，２３に対向したロックプレート側当接部１５ａ、１５ｂと、スライダー１２の当接片２１，２２に対向したスライダー側当接部１５ｃ、１５ｄとが形成されている。操作レバー１５を移動操作しないとき、ロックプレート側当接部１５ａ，１５ｂ及びスライダー側当接部１５ｃ、１５ｄは、それぞれロックプレート１３，２３及び当接片２１，２２と離隔している。ここで、スライダー側当接部１５ｃ、１５ｄはロックプレート側当接部１５ａ、１５ｂよりも低くなるように形成されている。これにより、図５に示すように、スライダー側当接部１５ｃ、１５ｄと当接片２１，２２との間の離隔距離Ｌ２に対し、ロックプレート側当接部１５ａ，１５ｂとロックプレート１３，２３との離隔距離Ｌ１が小さくなっている（Ｌ１＜Ｌ２）。従って、操作部材１５が上下方向に移動する際には、ロックプレート側当接部１５ａ，１５ｂが先にロックプレート１３，２３と当接し、その後にスライダー側当接部１５ｃ、１５ｄが当接片２１、２２に当接する。  
【００２９】
この実施形態において、ばね１４は、スライダー１２の当接片２１，２２がロックプレート１３，２３に当接する頂点２１ｂ、２２ｂと、操作レバー１５がロックプレート１３，２３に当接するロックプレート側当接部１５ａ，１５ｂとの間でロックプレート１３，２３と当接してロックプレート１３，２３を付勢している。すなわち、ばね１４はロックプレート１３，２３のロック穴１３ａ、２３ａ近辺に当接してロックプレート１３，２３を付勢するものである。ばね１４がこのような位置を付勢することにより、ロック穴１３ａ，２３ａのエッジ部１３ｂ、１３ｃ、２３ｂ、２３ｃがシャフト１０に食い込んでロックするためのロックプレート１３，２３の傾斜姿勢及びロックを解除するためのロックプレート１３，２３の傾斜をなくした解除姿勢を確保でき、ロック及びその解除が確実に可能となる。  
【００３０】
次に、この実施形態の作動を説明する。  
【００３１】
図３はスラット１を完全に閉じた状態を示す。この状態でスラット１に手を掛けて開けようとすると、スラット１にはスラット軸３回りの時計方向の回転力が作用し、連結ロッド６には上方向への移動力が作用する。この力は、図５に示すように、連結ピン５を介してスライダー１２における第１当接片２１の頂点２１ｂに対し上方向（Ｃ方向）に作用する。従って、第１ロックプレート１３に反時計方向への回転力が作用して第１ロックプレート１３が傾斜するため、第１ロックプレート１３のエッジ部１３ｂ、１３ｃがシャフト１０に食い込んで第１ロックプレート１３がロックされる。スラット１への力が強くなると、エッジ部１３ｂ，１３ｃがシャフト１０に食い込む力が強くなってロック力が増大する。その結果、スラット１を屋外から開くことができない。  
【００３２】
一方、スラット１が開いている状態に対し、スラット１を閉じようとして力を加えると、上述と同様な挙動が第２ロックプレート２３に作用する。すなわち、スライダー１２における第２当接片２２の頂点２２ｂが第２ロックプレート２３を傾斜させるため、第２ロックプレート２３のエッジ部２３ｂ、２３ｃがシャフト１０に食い込んで第２ロックプレート２３がロックされる。その結果、屋外からはスラット１を閉じることができない。  
【００３３】
屋内側でスラット１を開く場合には、操作レバー１５の操作部１５ｅを把持して操作レバー１５を上方向へ移動操作する。これにより、離隔距離Ｌ１となっている操作レバー１５のロックプレート側当接部１５ａが第１ロックプレート１３に当接する。  
【００３４】
図６及び図７は、その後にさらに操作レバー１５を上方へ移動操作した状態を示し、操作レバー１５はベース９及びカバー１６にガイドされているため、スムーズに動かすことができる。図６及び図７の状態まで操作レバー１５を上向きに動かすと、操作レバー１５のロックプレート側当接部１５ａによって第１ロックプレート１３が上方向に押される。このため、第１ロックプレート１３はスライダー１２における第１当接片２１の頂点２１ｂを支点として時計方向に回転する。この方向への回転によって、第１ロックプレート１３は傾きが小さくなり、ロック穴１３ａのエッジ部１３ｂ、１３ｃのシャフト１０への食い込みが解除される。かかる食い込み解除は、図７に示すように、スライダー側当接部１５ｃと第１当接片２１との間に隙間Ｌ３があるときになされる。  
【００３５】
さらに操作レバー１５を上方向に移動させると、操作レバー１５のスライダー側当接部１５ｃとスライダー１２における第１当接片２１との隙間Ｌ３がなくなり、スライダー側当接部１５ｃがスライダー１２を上方向に押し始める。  
【００３６】
図８はこの状態を示し、下側の第１ロックプレート１３においては、第１当接片２１の頂点２１ｂがロック穴１３ａの右側に当接し、操作レバー１５のスライダー側当接部１５ａがロック穴１３ａの左側に当接し、ばね１４がこれらの間に当接しているため、第１ロックプレート１３が傾くことがない。従って、第１ロックプレート１３はロック解除姿勢を安定して維持する。一方、上側の第２ロックプレート２３では、スライダー１２の第２当接片２２における頂点２２ｂが第２ロックプレート２３から離れる。従って、第２ロックプレート２３はロック方向に傾斜する支点を失い、ばね１４の付勢力により反時計方向に回転してロック解除状態となる。  
【００３７】
以上の第２ロックプレート２３の作用は、ばね１４等の弾性部材をスライダー１２の頂点２２ｂとシャフト１０の軸線との間に配置することにより達成されるものである。なお、この実施形態では、ばね１４にシャフト１０を貫通させている。このように、ばね１４をシャフト１０への同軸的貫通状態に配置して、第２ロックプレート２３のロック穴２３ａの軸線上を付勢することにより、より安定した作動を確保することができる。  
【００３８】
以上により、双方のロックプレート１３，２３がロック解除状態となるため、操作レバー１５は下方に円滑に移動できる。操作レバー１５の上方への移動により、屋外側の連結ロッド６が下方に移動するため、スラット１がスラット軸３を中心に時計方向に回転する。これにより、スラット１を開くことができる。
【００３９】
屋内側でスラット１を閉じる場合には、操作レバー１５の操作部１５ｅを把持して操作レバー１５を下方向へ移動操作する。これにより、上述した作動が上下で反対して作用する。すなわち、操作レバー１５のロックプレート側当接部１５ｂ及びスライダー１２における第２当接片２２の頂点２２ｂによって第２ロックプレート２３のロックが強制的に解除され、次に、第１ロックプレート１３が支点を失ってロック解除状態となり、操作レバー１５が下方に円滑に移動する。操作レバー１５の下方への移動によって、連結ロッド６が上方に移動するため、スラット１が反時計方向に回転する。これによりスラット１を閉じることができる。  
【００４０】
以上のスラット１の開き作動及び閉じ作動のいずれにおいても、操作レバー１５の移動操作を中止すると、ばね１４の付勢力によって第１ロックプレート１３及び第２ロックプレート２３がそれぞれ頂点２１ｂ及び２２ｂを支点として傾き、それぞれのロック穴１３ａ、２３ａのエッジ部１３ｂ、１３ｃ及び２３ｂ、２３ｃがシャフト１０に食い込んでロック状態となる。これにより、スラット１の回転がその角度で停止するため、スラット１の開き角度及び閉じ角度を無段階で調整することができる。又、操作レバー１５の移動操作では、操作音が発生しないため、スラット１の角度調整を静かに操作できる。  
【００４１】
図９は、本発明の第２実施形態のスライド操作装置７Ａを示す。このスライド操作装置７Ａでは、一つのロックプレート３３を用いるものであり、第１実施形態における第２ロックプレート２３が省略されている。  
【００４２】
ロックプレート３３は第１実施形態の第１ロックプレート１３に対応するものであり、シャフト１０が貫通するロック穴３３ａを有している。ロック穴３３ａは、シャフト１０よりも僅かに大きな径となっており、ロックプレート３３が傾斜すると、そのエッジ部がシャフト１０に食い込んで係合するため、ロック状態となる。又、スライダー１２における第１当接片２１の頂点２１ｂがシャフト１０の右側でロックプレート３３に当接している。ロックプレート３３におけるシャフト１０の左側に対しては、操作レバー１５のロックプレート側当接部１５ａが当接可能に臨んでいる。この実施形態では、ロックプレート３３が一つであるため、第２ロックプレート２３に対応した第２当接片２２は不要であり、省略することができる。  
【００４３】
上記構造において、屋外のスラット１に開き方向（時計方向）の力が作用すると、連結ロッド６を介してスライダー１２が上方向に移動しようとするため、第１当接片２１の頂点２１ｂがロックプレート３３を傾斜させる。これにより、ロック穴３３ａのエッジ部がシャフト１０に食い込むため、屋外からはスラット１を開くことができない。  
【００４４】
一方、スラット１に閉じ方向（反時計方向）の力が作用した場合には、連結ロッド６を介してスライダー１２が下方向に移動する。このため、ロックプレート３３の支点となっている頂点２１ｂがロックプレート３３から離れ、ロックプレートはロックすることがない。従って、スラット１を閉じる操作については、屋外から可能である  
【００４５】
屋内でのスラット１の角度調整は、第１実施形態と同様であり、操作レバー１５を上方に移動操作すると、ロックプレート側当接部１５ａがロックプレート３３に当接した後、頂点２１ｂがロックプレート３３に当接してシャフト１０への食い込みが解除され、スラット１の開き角度を無段階で調整できる。操作レバー１５を下方に移動操作すると、頂点２１ｂがロックプレート３３から離れるため、ロックプレート３３は支点を失い、ロックプレート３３はロック解除状態となり、スラット１の閉じ角度を無段階で調整できる。
【００４６】
図１０〜図１４は、本発明の第３実施形態のスライド操作装置７Ｂを示し、図１０はこの実施形態が適用された可動ルーバー窓の正面図、図１１は図１０のＥ矢視からの側面図、図１２は図１０のＦ矢視からの側面図、図１３は図１０のＧ−Ｇ線断面図、図１４は図１３のＨ矢視からの側面図である。
【００４７】
この実施形態のスライド操作装置７Ｂは、図１０に示すように、ルーバー窓における下側の枠２に配置される。又、可動部材としてのシャフト１０は左右の横方向に伸びるように配置される。
【００４８】
図１３に示すように、横方に配置されるシャフト１０に対し、可動部材としてのスライダー１２、ロック部材としてのロックプレート１３，２３及び弾性部材としてのばね４、操作部材としての操作レバー１５が配置される。シャフト１０に対するこれらの部材の配置は、第１実施形態と同様であるが、第１実施形態に対し横方向に配置されるものである。スライダー１２はシャフト１０が貫通することによりシャフト１０の長さ方向に沿って移動可能となっている。ロックプレート１３，２３はシャフト１０が貫通した状態で一対が対向するようにスライダー１２の当接片２１，２２に当接している。ばね１４は一対のロックプレート１３，２３の間に配置されており、ロックプレート１３，２３のロック穴がシャフト１０に食い込むように付勢している。操作レバー１５は横方向のシャフト１０の長さ方向に沿って移動可能となっている。
【００４９】
この実施形態において、左右の連結ロッド６は以下のように配置される。すなわち、図１１に示すように、右側の連結ロッド６は、室内側Ｘに配置されており、これに対してスラット１はリンク４を介して室外側Ｙに位置する。図１２に示すように、左側の連結ロッド６は室外側Ｙに配置されており、スラット１は室内側Ｘに位置する。従って、右側の連結ロッド６を下方に移動させるとスラット１が閉じられ、左側の連結ロッド６を下方に移動させるとスラット１が開くように作動する。
【００５０】
左右それぞれの連結ロッド６には、ロープ１００ａ、１００ｂが連結される。すなわち、図１１及び図１３に示すように、右側の連結ロッド６には、ロープ１００ａの一端が連結され、ロープ１００ａの他端はローラ１０１ａを介してスライダー１２のアーム部１２ａに連結されている。ローラ１０１ａは枠２の立ち上がり部２ｅに取り付けられた支軸１０２ａに回転自由に支持されている。
【００５１】
図１２及び図１３に示すように、左側の連結ロッド６には、ロープ１００ｂの一端が連結され、ロープ１００ｂの他端はローラ１０１ｂを介してスライダー１２のアーム部１２ａに連結されている。ローラ１０１ｂは枠２の立ち上がり部２ｅに取り付けられた支軸１０２ｂに回転自由に支持されている。
【００５２】
図１３において、操作レバー１５を右方向にスライド移動させると、左側のロープ１００ｂが右方向に引かれる。これにより、左側の連結ロッド６が下方に移動し、スラット１が反時計方向に回転する。従って、スラット１が開状態となる。このとき、右側の連結ロッド６はリンク４の時計方向の回転により上方に移動する。この上方への移動によって右側のロープ１００ａが右方向に引かれるため、ロープ１００ａは撓むことなくスライダー１２の動きに追従して動く。
【００５３】
スラット１を閉じる場合は、操作レバー１５を左方向に移動させる。この移動によって右側の連結ロッド６が下方に引かれるため、スラット１が閉じられる（図１１参照）。
【００５４】
この実施形態では、操作レバー１５を横方向に移動操作することによりスラット１の開閉を行うことができ、操作性が良好となる。
【００５５】
図１５及び図１６は、本発明の第４実施形態を示し、第３実施形態における図１４に相当した図である。図１５及び図１６は左側部分を示すが、右側部分も同様となっている。
【００５６】
１５及び図１６に示すように、スライダー１２に連結されるロープ１０５の一端は小径のギヤ１０３に巻き付けられ、連結ロッド１６に連結されるロープ１０６の一端は大径のギヤ１０４に巻き付けられている。その他の部分は第３実施形態と同様である。
【００５７】
このような構造では、ギヤ１０３，１０４のギヤ比の関係によって操作レバー１５への操作力を調整することができ、スラット１がガラス製の重たいものであってもギヤ比を調整することにより操作レバー１５への操作力を軽減させることができ、操作性が向上するメリットがある。
【００５８】
本発明は、以上の実施形態に限定されることなく種々変形が可能である。例えば、ロックプレートを付勢するばね１４としては、複数の皿ばねを重ねて形成しても良い。又、本発明は、可動ルーバー窓以外の装置に適用することができる。  
【図面の簡単な説明】
【００５９】
【図１】本発明の第１実施形態が適用される可動ルーバー窓の正面図である。
【図２】可動ルーバー窓の側面図である。
【図３】図１におけるＡ−Ａ線断面図である。
【図４】図３におけるＢ−Ｂ線断面図である。
【図５】図３の要部を拡大した断面図である。
【図６】作動の断面図である。
【図７】図６の要部を拡大した断面図である。
【図８】図６に続く作動の断面図である。
【図９】第２実施形態の断面図である。
【図１０】第３実施形態が適用された可動ルーバー窓の正面図である。
【図１１】図１０のＥ矢視からの側面図である。
【図１２】図１０のＦ矢視からの側面図である。
【図１３】図１０のＧ−Ｇ線断面図である。
【図１４】図１３のＨ矢視からの側面である。
【図１５】第４実施形態の平面図である。
【図１６】図１５の正面図である。
【符号の説明】
【００６０】
１  スラット（外側部材）  
７、７Ａ、７Ｂ  スライド操作装置  
１０  シャフト（軸部材）  
１２  スライダー（可動部材）  
１３  第１ロックプレート（ロック部材）  
１３ａ  ロック穴  
１３ｂ、１３ｃ  エッジ部  
１４  ばね  
１５  操作レバー（操作部材）  
１５ａ、１５ｂ  ロックプレート側当接部  
１５ｃ、１５ｄ  スライダー側当接部  
２１  第１当接片  
２１ｂ  頂点  
２２  第２当接片  
２２ｂ  頂点  
２３  第２ロックプレート（ロック部材）  
２３ａ  ロック穴  
２３ｂ、２３ｃ  エッジ部  
３３  ロックプレート  
３３ａ  ロック穴  
【図１】
2008208700.tif 000003
【図２】
2008208700.tif 000004
【図３】
2008208700.tif 000005
【図４】
2008208700.tif 000006
【図５】
2008208700.tif 000007
【図６】
2008208700.tif 000008
【図７】
2008208700.tif 000009
【図８】
2008208700.tif 000010
【図９】
2008208700.tif 000011
【図１０】
2008208700.tif 000012
【図１１】
2008208700.tif 000013
【図１２】
2008208700.tif 000014
【図１３】
2008208700.tif 000015
【図１４】
2008208700.tif 000016
【図１５】
2008208700.tif 000017
【図１６】
2008208700.tif 000018